(57)【要約】【課題】前面に隣接した中蓋で内部を仕切り上下段に物品を収納し前面のロック片を差込んで上蓋を固定する包装箱において、前面とロック部の境界に鋭利なエッジ部が生じるのを防ぐ。【解決手段】包装箱前面の上辺に第一内側面（４７、４８）及び第二内側面（５７）を設け、第一内側面は前面から略９０度内側へ折ってから所定幅を隔てて再度略９０度下側へ折り、第二内側面は前面から略１８０度内側へ折り、共に中蓋へ接続する。ロック片と第二内側面を分離する切込線（６７）は折線（５５、５６）と斜めに交わる様に形成したので、第二内側面を１８０度倒すとエッジ部は鈍角の傾斜面で構成され、鋭利な角部が生じるのを防止できる。【選択図】  図１
2018127241.tif 000002
【特許請求の範囲】
【請求項１】
一枚の板材から形成し、実質立方体を成し、内部を中蓋（５１）で上下に区画し、上蓋（３４）を閉じて該上蓋に設けた差込片（３７）を前面（２２）の内側に差し込んでから、該前面に設けたロック片（６６）を該上蓋の該差込面に差し込んで係止する係止機構を有する包装箱（１）において、
該包装箱の該前面の上側に第一内側面（４７、４８）及び第二内側面（５７）を設け、
該第一内側面は該前面の第一折線（４１、４２）にて実質９０度内側へ折ってから所定幅を隔てて再度実質９０度下側へ折って形成し、
該第二内側面は該前面の第二第二折線（５５、５６）にて実質１８０度内側へ折って該第一内側面より前側に形成し、
該第二内側面と該ロック片を切込線（６７）で分離し、
該切込線には該上辺折線と交差する部分に斜線部（６８、６９）を設けて該上辺折線に対し斜めに交わる様に形成したこと、
を特徴とする、収納箱。
【請求項２】
該第二内側面は、上側で該上蓋の該差込面の横幅と実質同じ横幅を有し、該中蓋の側で該上蓋の該差込面の横幅より小さい横幅を有すること、
を特徴とする、請求項１に記載の収納箱。
【請求項３】
該第二折線は該第一折線より所定量だけ上にずらした位置に設けたこと、
を特徴とする、請求項１または２に記載の収納箱。
【発明の詳細な説明】
【技術分野】
【０００１】
本発明は、複数の物品を収納する包装箱に関し、特にデジタルカメラの包装箱の様に、上蓋を閉じてから、それを固定するための差し込み辺を有する包装箱に関するものである。
【背景技術】
【０００２】
一眼レフカメラの様な電子機器は、製品本体に加え、電池や充電器、ストラップ、交換レンズ等様々なアクセサリ類、さらに説明書や保証書類を一緒に包装箱へ同梱するのが一般的である。
【０００３】
この包装箱には段ボール等の軽くて丈夫な紙材が使われるが、物流途中で箱が不用意に開かない様、蓋をロックすることが必要である。
【０００４】
従来の方法としては、特許文献１の様に、上蓋の先端に設けた差込片を前面の内側へ差し込んで上蓋を閉じ、前面に設けたロック片を差込片に差し込んでロックする方式がある。また特許文献２の箱では、前面を上方向へ延長して箱の内側へ倒す構造が追加されている。さらに特許文献３の箱は前面を上方向へ延長して中蓋を設けた包装箱で、物品を収納後に中蓋を閉じて上部に空間を持たせるものである。中蓋の後で上蓋を閉じてから、特許文献１と同様に上蓋の先端に設けた差込片を前面の内側へ差し込んで上蓋を閉じ、前面に設けたロック片を差込片に差し込んでロックする。
【先行技術文献】
【特許文献】
【０００５】
【特許文献１】特開平１１−３０１６３４号公報
【特許文献２】特開２００８−５００２５号公報
【特許文献３】特開２０１３−６７４１６号公報
【発明の概要】
【発明が解決しようとする課題】
【０００６】
ところで、前面にロック片を設けると、前面とロック片の境界に略直角のエッジ部分を生じる。これは、包装箱を板材から型で打ち抜く際に、ロック片を形成する抜き刃を垂直方向に配置し、それと「Ｔ」字型に突き当る様に前面の上辺を形成する抜き刃を水平方向に配置するために生じるものである。このため、ロック片を抜き差しする作業にてエッジ部に触れることがあり、鋭利に尖っているため触ると痛く、特に新品の箱においてはけがをする可能性もある。
【０００７】
この対策として、特許文献２の様な箱においては、延長した前面を箱の内側へ倒す折線がロック片を形成する抜き刃に突き当る部分にて、抜き刃を垂直方向に対し例えば４５度傾斜させればよい。そうすれば、延長した前面を箱の内側へ倒したとき、直角でなく４５度の鈍角になるので、エッジの発生を防ぐことができる。これは公知の技術として多用されている。
【０００８】
しかし、特許文献３の様な箱においては、前面の上側にはすでに中蓋を設けており、従来このままでは特許文献２の様な方法を使うことはできなかった。
【０００９】
そこで本発明の目的は、中蓋を有する包装箱において、ロック片の境界に鋭利なエッジ部が生じない包装箱を提供することである。
【課題を解決するための手段】
【００１０】
上記目的を達成するために、本発明は、一枚の板材から形成し、略立方体を成し、内部を中蓋（５１）で上下に区画し、上蓋（３４）を閉じて該上蓋に設けた差込片（３７）を前面（２２）の内側に差し込んでから、該前面に設けたロック片（６６）を該上蓋の該差込面に差し込んで係止する係止機構を有する包装箱（１）において、
該包装箱の該前面の上側に第一内側面（４７、４８）及び第二内側面（５７）を設け、
該第一内側面は該前面の第一折線（４１、４２）にて略９０度内側へ折ってから所定幅を隔てて再度略９０度下側へ折って形成し、
該第二内側面は該前面の第二第二折線（５５、５６）にて略１８０度内側へ折って該第一内側面より前側に形成し、
該第二内側面と該ロック片を切込線（６７）で分離し、
該切込線には該上辺折線と交差する部分に斜線部（６８、６９）を設けて該上辺折線に対し斜めに交わる様に形成したこと、
を特徴とする。
【００１１】
さらに、本発明は、該第二内側面は、上側で該上蓋の該差込面の横幅と略同等の横幅を有し、該中蓋の側で該上蓋の該差込面の横幅より小さい横幅を有すること、
を特徴とする。
【００１２】
さらに、本発明は、該第二折線は該第一折線より所定量だけ上にずらした位置に設けたこと、
を特徴とする。
【発明の効果】
【００１３】
本発明によれば、第二内側面とロック片を分離する切込線を該上辺折線に対して斜めに交わる様に形成したので、第二内側面を倒すとエッジ部は鈍角の傾斜面で構成でき、鋭利な角が生じるのを防止できる。
【００１４】
さらに本発明によれば、上蓋の差込面を第二内側面の内側に差し込んだ時に第一内側面が差込面の内側にあるので、ロック片を差込片に差し込む際に差込片が内側へ逃げることがなく、ロック片を差し込む作業がやりやすい。
【００１５】
さらに本発明によれば、この第二内側面の第二折線（５５、５６）は、第一折線（４１、４２）より所定量だけ上方にずらした位置に設けてあるので、折り曲げ作業が容易に行える。
【図面の簡単な説明】
【００１６】
【図１】本発明による包装部材の全体図
【図２】本発明による包装箱の展開図
【図３】包装箱を折る手順の図
【図４ａ】包装箱の拡大図
【図４ｂ】包装箱の拡大図
【図４ｃ】包装箱の拡大図
【発明を実施するための形態】
【００１７】
以下に、本発明の好ましい実施の形態を、添付の図面に基づいて詳細に説明する。
［実施例１］
以下、本発明の実施例による包装装置について説明する。図１は、本発明による包装部材の全体図で、１は包装箱であり、２はその内部へ配置する中仕切である。そしてデジタルカメラ３、充電器４、電池５、ケーブル６、ストラップ７等の物品を収納する。さらに包装箱１の中蓋５１を閉じてから、説明書８やディスク９や保証書１０などを収納し、上蓋３４を閉じて包装する様になっている。その他各収納物を包装する袋類も多用するが、ここでは省略する。
【００１８】
次に、包装箱１の詳細を説明する。包装箱１は、Ｅフルート等の一枚の段ボール材を打抜いた後、グルアー加工等により貼合せ、立方体に折り上げたものである。図２ａはその展開形状で、折り目を付けた多数の折線によって各面の部分に分かれている。２１は目方向を表わす記号で、縦方向となっている。２２は前面で、左右には折線２３を介して右面２４、折線２５を介して左面２６が隣接し、それぞれ折線２７を介して右フラップ２８、折線２９を介して左フラップ３０が隣接している。また左面２６には折線３１を介して後面３２が隣接し、そこに折線３３を介して上蓋３４が隣接している。さらに折線３５と３６を介して横幅Ａに設定された差込片３７が隣接し、横幅Ｂに設定された差込部３８が設けてある。
【００１９】
次に、後面３２には折線３９を介して貼合面４０が隣接しており、これは後述する様に右面２４と貼合せて直方体を形成するためのものである。次に、前面２２には第一折線４１及び４２を介して幅の細い折曲面４３及び４４が隣接し、さらに折線４５及び４６を介して第一内側面４７及び４８が隣接し、さらに折線４９及び５０を介して中蓋５１が隣接している。このそして中蓋５１には折線５２を介して折返面５３が隣接し、指掛け穴５４が設けてある。
【００２０】
また、前面２２には第二折線５５及び５６を介して第二内側面５７が隣接し、さらに折線５８を介して中蓋５１が隣接している。この折線５８は、折線４９及び５０よりも前面２２に近い。そして図２ｂに示す様に、第一内側面４７と第二内側面５７は、折線４１の左端から折線４９の左端に至る切込線５９によって分離されている。
【００２１】
また、もう一方の第一内側面４８と第二内側面５７も、折線４２の右端から折線５０の右端に至る切込線６０によって分離されている。この切込線５９及び６０は、途中で斜線部６１及び６２が設けてあり、下方では第二内側面５７の横幅が先述した上蓋３４の差込片３７と略同等の横幅Ａになり、上方ではそれより小さい横幅Ｃになっている。また、この第二内側面５７の第二折線５５及び５６は、先述の折曲面４３及び４４の第一折線４１及び４２より所定量だけ上方にずらした位置に設けてある。
【００２２】
さらに、前面２２には折線６３を介してロック前面６４、さらに折線６５を介してロック片６６があり、これは折線６３の右端から上方を経て左端へ至る略「コ」の字状の切込線６７によって前面２２及び第二内側面５７から分離されている。このロック片６６は先述の差込片３７に設けた差込部３８に差し込んで上蓋３４をロックするもので、先述した差込部３８と略同等の横幅Ｂになる様に設定されている。また、切込線６７には、途中で前面２２と第二内側面５７の境界である第二折線５５及び５６と交差する部分に略４５度の斜線部６８及び６９が傾けてある。これにより、ロック前面６４はロック片６６より広い横幅Ｄになっている。
【００２３】
また図２ａに戻って、７０〜７３は底面で、所謂ワンタッチ底方式で形成しており、それぞれ前面２２と右面２４と左面２６と後面３２に折線７４〜７７にて隣接している。これは公知の技術にて説明は省略する。そしてこの包装箱１は図３ａの展開形状から図３ｂの様に貼り合せた状態にして完成させ、梱包作業を行うまで保管される。
【００２４】
本発明の実施例による包装箱１は以上の様に構成されている。次に、この包装箱１を組立てて包装する作業について説明する。まず、先述の様に平面状態でにあった包装箱１を図３ｂから図３ｃの様に折って箱状にし、内部に各収納物２〜７を入れる。
【００２５】
次に中蓋５１を折る。このとき、まず図３ｄの様に折線６３を折ってロック前面６４とロック片６６を前側へ倒し、右フラップ２８と左フラップ３０と上蓋３４を倒しておく。次に、図３ｅの様に折線４５及び４６、また折線４９及び５０を折って、第一内側面４７及び４８を水平にする。と同時に、第二折線５５及び５６、また折線５８を折って、第二内側面５７を水平にする。このとき、中蓋５１は垂直のままに維持する。
【００２６】
図４ａはこの図３ｅの様子を拡大した状態である。第二内側面５７は第二折線５５及び５６で折られて水平になり、第一内側面４７及び４８はそれより上方にある折線４５及び４６で折られて水平になるので、第一内側面４７及び４８は第二内側面５７より上の位置で水平になっている。また第一内側面４７及び４８から折線４９及び５０を介し、かつ第二内側面５７から折線５８を介して中蓋５１が隣接している。折線４９及び５０は折線５８より上方に位置しており、中蓋５１は垂直になっている。
【００２７】
次に、図３ｆの様に折返面５３を折ってから、第一折線４１及び４２を折ると同時に、第二折線５５及び５６をさらに折って、図３ｇの状態にする。図４ｂはその拡大図で、前述の様に、切込線６７は第二折線５５及び５６と交差する箇所で略４５度の斜線部６８及び６９でカットされているので、第二折線５５及び５６を折っても折り曲げた部分は略４５度の鈍角となり、従来例で述べた様な９０度の鋭角は生じない。よって手で触っても痛くないし、怪我する心配もない。
【００２８】
次に、折線３５及び３６を折って差込片３７を上蓋から起こす。図４ｃはこの様子を後面３２側から見た状態である。第二内側面５７は中蓋５１から折線５８で９０度折り、さらに第二折線５５及び５６で１８０度折って前面２２に接続した、前面２２のすぐ内側に重なる垂直面である。それに対して、第一内側面４７及び４８は第二内側面５７より内側の折線４９及び５０で９０度折られて垂直になり、折線４５及び４６で９０度折られ、折曲面４３及び４４を介し、さらに折線４２及び４２で９０度折られて前面２２に接続した垂直面である。すなわち、第一内側面４７及び４８は第二内側面５７より内側の垂直面になっている。
【００２９】
このとき、この第二内側面５７の第二折線５５及び５６は、先述の第一内側面４７及び４８の第一折線４１及び４２より所定量だけ上方にずらした位置に設けてある。これは、第一折線４１及び４２は９０度だが第二折線５５及び５６は１８０度折られるため、その分折った部分が外側へ飛び出すのを補正するものであり、例えば包装箱１の紙厚の半分すなわち１ｍｍ程度ずらしておくことで、この折り曲げ作業が容易に行える。
【００３０】
次に、中蓋５１の上へ各収納物８〜１０を収納してから、図３ｈの様に折線２７及び２９を折って右フラップ２８と左フラップ３０を重ねる。さらに図３ｉの様に折線３３を折って上蓋３４を被せ、差込片３７を第二内側面５７の内側へ差し込む。
【００３１】
すると、図４ｃで示した様に、第二内側面５７は前面２２のすぐ内側で、第一内側面４７及び４８はその内側にあるので、差込片３７は、第二内側面５７と、第一内側面４７及び４８との間に位置することになる。第二内側面５７と第一内側面４７及び４８との境界である切込線５９及び６１は、前述の様に途中で斜線部６１及び６２が設けてあり、下方では第二内側面５７の横幅が先述した上蓋３４の差込片３７と略同等の横幅Ａになり、上方ではそれより小さい横幅Ｃになっている。そのため、横幅Ａの差込片３７を第二内側面５７の内側へ差し込むと、折曲面４３及び４４の間にちょうど収まり、差込片３７の内側は横幅Ｃで離間した第一内側面４７及び４８で保持される。
【００３２】
そして、このまま折線６３及び６５を折って、ロック片６６を差込片３７に設けた差込部３８にはめて上蓋３４をロックする。このとき、先述の様に、差込片３７は第一内側面４７及び４８と第二内側面５７で挟まれた状態にあるので、差込片３７は内側へ押されても第一内側面４７及び４８に保持されて内側へ逃げないので、ロック片６６を差し込む作業が容易に行える。
【符号の説明】
【００３３】
１：包装箱、２〜１０：各収納物、２１〜７７：包装箱１の細部
【図１】
2018127241.tif 000003
【図２】
2018127241.tif 000004
【図３】
2018127241.tif 000005
【図４ａ】
2018127241.tif 000006
【図４ｂ】
2018127241.tif 000007
【図４ｃ】
2018127241.tif 000008